(57)【要約】【課題】  オゾン層破壊・地球温暖化等の環境破壊を起こさないが可燃性であり取扱いに細心の注意を要する発泡剤を用いて、高い安全性と生産効率の向上を図れるようにすること。【解決手段】  一対の表面板１０と、両表面板１０の辺部間に装着される枠材２０，２１と、両表面板と枠材とで形成される空間３０内に注入・充填される炭素数５の飽和炭化水素を発泡剤とする発泡断熱材とからなる断熱パネルの製造方法において、空間内に不活性ガスを注入して空間内を不活性ガスで置換した後、空間内に上記発泡断熱材を注入する。不活性ガス置換工程の際、枠材の中央部に設けられた注入用孔２５に挿入されたノズル６０の先端の主注入口６２から、Ｎ２ガスを、ノズルの中心軸に沿って空間内に直状に注入すると同時に、直状注入方向に対して角度を有する少なくとも２箇所の副注入口６３から側方に注入する。【選択図】    図４
2006095801.tif 000002
【特許請求の範囲】
【請求項１】
一対の表面板と、上記両表面板の辺部間に装着される枠材と、上記両表面板と枠材とで形成される空間内に注入・充填される炭素数５の飽和炭化水素を発泡剤とする発泡断熱材とからなる断熱パネルの製造方法であって、
上記空間内に不活性ガスを注入して空間内を不活性ガスで置換する工程と、
上記不活性ガスで置換する工程の後、上記空間内に上記発泡断熱材を注入する工程とを有し、
上記不活性ガス置換工程の際、上記枠材の中央部に設けられた注入用孔に挿入されたノズルの先端から、上記不活性ガスを、ノズルの中心軸に沿って上記空間内に直状に注入すると同時に、直状注入方向に対して角度を有する少なくとも２箇所から側方に注入することを特徴とする断熱パネルの製造方法。
【請求項２】
請求項１記載の断熱パネルの製造方法において、
上記不活性ガスの側方への注入を、ノズルの中心軸に対して対称に行うことを特徴とする断熱パネルの製造方法。
【請求項３】
請求項１又は２記載の断熱パネルの製造方法において、
上記不活性ガス置換工程を、所定温度に設定されたパネルの処理温度雰囲気内に上記表面板と枠材を組み立てて設置保持した状態で行うことを特徴とする断熱パネルの製造方法。
【請求項４】
一対の表面板と、上記両表面板の辺部間に装着される枠材と、上記両表面板と枠材とで形成される空間内に注入・充填される炭素数５の飽和炭化水素を発泡剤とする発泡断熱材とからなる断熱パネルの製造装置であって、
上記空間内に上記発泡断熱材を注入する前に、上記枠材の中央部に設けられた注入用孔に挿入されて上記空間内に不活性ガスを注入するノズルを具備してなり、
上記ノズルは、先端に開口する主注入口と、該主注入口に連通する連通路に連通すると共に、主注入口付近に設けられる少なくとも２個以上の副注入口と、を具備することを特徴とする断熱パネルの製造装置。
【請求項５】
請求項４記載の断熱パネルの製造装置において、
上記各副注入口は、ノズルの中心軸に対して大きさ、数及び形状が対称に形成されていることを特徴とする断熱パネルの製造装置。
【請求項６】
請求項４又は５記載の断熱パネルの製造装置において、
上記ノズルは、先端に向かって狭小テーパ状の截頭円錐状に形成されるノズルヘッドを具備すると共に、このノズルヘッド内に形成される連通路を先端に向かって狭小テーパ状に形成し、かつ、連通路に副注入口を連通してなることを特徴とする断熱パネルの製造装置。
【請求項７】
請求項４ないし６のいずれかに記載の断熱パネルの製造装置において、
上記表面板と枠材を組み立てて設置保持した状態に収容する温調部を更に具備し、該温調部を、ノズルから空間内に不活性ガスを注入する際に、パネルの処理温度雰囲気に温調可能に形成してなることを特徴とする断熱パネルの製造装置。
【発明の詳細な説明】
【技術分野】
【０００１】
この発明は、断熱パネルの製造方法及びその装置に関するもので、更に詳細には、一対の表面板と、両表面板の辺部間に装着される枠材とで形成される空間内に、炭素数５の飽和炭化水素を用いた例えば発泡ウレタンフォーム等の発泡断熱材を注入・充填してなる断熱パネルの製造方法及び装置に関するものである。
【背景技術】
【０００２】
従来、この種のパネルの製造方法においては、発泡剤を含むポリオール系原液と、ポリイソシアネート系原液とを混合し、この混合組成物を一対の表面板間に注入し発泡・充填する方法が知られている。この製造方法において、発泡剤として、ＣＣ１3Ｆフロンが使用されていたが、このＣＣ１3Ｆフロンは、現在「オゾンホール」の主原因であるため、使用が禁止されている。
【０００３】
また、上記ＣＣ１3Ｆフロンに代わり、オゾンを破壊しにくいＣ2Ｈ3ＦＣｌ2（ＣＣｌ2Ｆ−ＣＨ3）フロンが使用されていたが、これにおいても現在では使用が禁止されている。
【０００４】
その他の代替発泡剤としてフッ素含有炭化水素あるいは炭化水素が知られている。このうちフッ素含有炭化水素はオゾンを破壊しないが、地球温暖化の原因物質であり、使用に不向きである。一方、炭化水素はオゾンを破壊せず、地球温暖化にも起因しないが、沸点の低いものは引火・爆発の虞がある。
【０００５】
そこで、上記問題を解決する手段として、フロンの代替発泡剤に高沸点の炭化水素、特に炭素数５の飽和系炭化水素が使用されている。
【０００６】
しかし、炭素数５の飽和系炭化水素からなる上記代替発泡剤は、従来のフロン系発泡剤と異なり可燃性であるため、パネルの製造過程において、パネル内部に気化した発泡剤とパネル内部の空気と混合されることから、発泡中にパネル内で爆発する危険性がある。
【０００７】
そのため、従来では、発泡断熱材を注入・充填する前に、枠材に形成された注入孔から不活性ガス注入ノズルを挿入し、不活性ガスを吐出することによりパネル内の空気を不活性ガスに置換している（例えば、特許文献１参照）。
【０００８】
また、不活性ガス注入ノズルに伸長長さ制御機構を具備させて、寸法の異なるパネルの空間部の、空気のパージに最も適切な位置に不活性ガス注入ノズルの吐出口を位置するように調整している（例えば、特許文献２参照）。
【特許文献１】特開２００４−９８３２０（特許請求の範囲、図３）
【特許文献２】特開２００４−１０６３８５（特許請求の範囲、図３、図４）
【発明の開示】
【発明が解決しようとする課題】
【０００９】
しかしながら、上記従来の断熱パネルの製造方法においては、不活性ガス注入ノズルの先端の吐出口からパネルの空間内に不活性ガスを注入するため、不活性ガスが空間内に均一に流れにくい上、特に、不活性ガス注入ノズルの先端部と基端部との間の領域には空気溜まりが生じるので、置換効率が低下すると共に、置換に多量の不活性ガスを必要とするという問題があった。
【００１０】
この発明は、上記事情に鑑みてなされたもので、オゾン層破壊・地球温暖化等の環境破壊を起こさないが可燃性であり取扱いに細心の注意を要する発泡剤を用いた断熱パネルの製造を、安全かつ効率よく行えるようにした断熱パネルの製造方法及びその装置を提供することを目的とするものである。
【課題を解決するための手段】
【００１１】
上記課題を解決するために、請求項１記載の発明は、一対の表面板と、上記両表面板の辺部間に装着される枠材と、上記両表面板と枠材とで形成される空間内に注入・充填される炭素数５の飽和炭化水素を発泡剤とする発泡断熱材とからなる断熱パネルの製造方法であって、  上記空間内に不活性ガスを注入して空間内を不活性ガスで置換する工程と、  上記不活性ガスで置換する工程の後、上記空間内に上記発泡断熱材を注入する工程とを有し、  上記不活性ガス置換工程の際、上記枠材の中央部に設けられた注入用孔に挿入されたノズルの先端から、上記不活性ガスを、ノズルの中心軸に沿って上記空間内に直状に注入すると同時に、直状注入方向に対して角度を有する少なくとも２箇所から側方に注入することを特徴とする。
【００１２】
この発明において、上記不活性ガスの側方への注入を、ノズルの中心軸に対して対称に行う方が好ましい（請求項２）。
【００１３】
また、上記不活性ガス置換工程を、所定温度に設定されたパネルの処理温度雰囲気内に上記表面板と枠材を組み立てて設置保持した状態で行う方が好ましい（請求項３）。
【００１４】
請求項４記載の発明は、請求項１記載の断熱パネルの製造方法を具現化するもので、  一対の表面板と、上記両表面板の辺部間に装着される枠材と、上記両表面板と枠材とで形成される空間内に注入・充填される炭素数５の飽和炭化水素を発泡剤とする発泡断熱材とからなる断熱パネルの製造装置であって、  上記空間内に上記発泡断熱材を注入する前に、上記枠材の中央部に設けられた注入用孔に挿入されて上記空間内に不活性ガスを注入するノズルを具備してなり、  上記ノズルは、先端に開口する主注入口と、該主注入口に連通する連通路に連通すると共に、主注入口付近に設けられる少なくとも２個以上の副注入口と、を具備することを特徴とする。
【００１５】
請求項４記載の断熱パネルの製造装置において、上記各副注入口は、ノズルの中心軸に対して大きさ、数及び形状が対称に形成されている方が好ましい（請求項５）。この場合、副注入口は大きさ及び形状が対称であれば任意の形状でよく、例えば円形，楕円形あるいは長孔状等に形成することができる。
【００１６】
また、上記ノズルは、先端に向かって狭小テーパ状の截頭円錐状に形成されるノズルヘッドを具備すると共に、このノズルヘッド内に形成される連通路を先端に向かって狭小テーパ状に形成し、かつ、連通路に副注入口を連通してなる方が好ましい（請求項６）。
【００１７】
また、上記表面板と枠材を組み立てて設置保持した状態に収容する温調部を更に具備し、該温調部を、ノズルから空間内に不活性ガスを注入する際に、パネルの処理温度雰囲気に温調可能に形成する方が好ましい（請求項７）。
【発明の効果】
【００１８】
（１）請求項１，４記載の発明によれば、枠材の中央部に設けられた注入用孔に挿入されるノズルの先端から、不活性ガスを、ノズルの中心軸に沿って空間内に直状に注入すると同時に、直状注入方向に対して角度を有する少なくとも２箇所から側方に注入することにより、不活性ガスの流れを複数かつ均一にすることができる。したがって、不活性ガスによる置換を効率よく行うことができる。また、不活性ガスの使用量を抑制することができると共に、置換時間の短縮が図れるので、コストの低廉化が図れると共に、生産性の向上が図れる。
【００１９】
（２）請求項２，５記載の発明によれば、不活性ガスの側方への注入を、ノズルの中心軸に対して対称に行うことにより、不活性ガスの注入を均一にすることができるので、上記（１）に加えて更に生産効率の向上を図ることができる。
【００２０】
（３）請求項３，７記載の発明によれば、不活性ガス置換工程を、所定温度に設定されたパネルの処理温度（例えば、３５℃）の雰囲気内に表面板と枠材を組み立てて設置保持した状態で行うことにより、置換後の不活性ガスの膨張によるパネル外部から再び空気がパネル空間内に侵入するのを防ぐことができる。また、パネル空間内で酸素と発泡剤が混合するのを防止することができ、発泡断熱材の注入・充填を安全に行うことができる。したがって、上記（１），（２）に加えて更に安全性と生産性の向上を図ることができる。
【００２１】
（４）請求項６記載の発明によれば、ノズルを、先端に向かって狭小テーパ状の截頭円錐状に形成することにより、パネルに設けられた注入用孔内にノズルを容易に挿入することができるので、上記（１）〜（３）に加えて更に不活性ガス及び発泡断熱材の注入を効率よく行うことができ、生産性の向上を図ることができる。また、ノズルヘッド内に形成される連通路を先端に向かって狭小テーパ状に形成し、かつ、連通路に副注入口を連通することにより、注入のために供給される不活性ガスが連通路内で漸次加圧されるので、主注入口及び副注入口からの流量を均一にすることができる。
【発明を実施するための最良の形態】
【００２２】
以下に、この発明の最良の実施形態を添付図面に基づいて詳細に説明する。
【００２３】
図１は、この発明における断熱パネルの一例を示す斜視図、図２は、図１のＩ−Ｉ線に沿う断面図である。
【００２４】
上記断熱パネルＰは、図１及び図２に示すように、一対の鋼板製の表面板１０と、両表面板１０の辺部間に装着されるプラスチック製例えば塩化ビニル製の直状枠材２０及びコーナー枠材２１と、両表面板１０と枠材２０，２１とで形成される空間３０内に、後述する不活性ガス例えば窒素（Ｎ２）ガスの供給手段であるＮ２ガス注入ノズル６０から注入されるＮ２ガスで置換された後、発泡断熱材注入ノズル７０によって注入・充填される発泡断熱材４０とで主に構成されている。
【００２５】
この場合、上記表面板１０の辺部に折曲された折曲片１１が、直状枠材２０及びコーナー枠材２１の上下端部にそれぞれ設けられた嵌合溝２２内に僅かな隙間をおいて嵌挿されて表面板１０と枠材２０，２１とが固定されている。
【００２６】
また、直状枠材２０の側面には、断熱パネルＰ同士を接合するために設けられる凹条部又は凸条部（図面では凹条部２３を示す）が設けられている。この凹条部２３は、開口側が拡開するテーパ状に形成されている。なお、凸条部を設ける場合は、先端が狭小なテーパ状に形成される。
【００２７】
上記のように構成される直状枠材２０の中間部における凹条部２３の底部２４には、不活性ガスであるＮ２ガス及び発泡断熱材４０の注入用孔２５が設けられている。また、直状枠材２０の空間側すなわち内方側には、注入用孔２５を閉塞すべく可撓性を有する薄い膜材５０が配設されている。この膜材５０は、例えば紙製材料にて形成されており、その下部のみが例えば接着剤５１によって直状枠材２０に接着されて、上端部側が自由に変位し得るようになっている（図３参照）。したがって、上記空間３０内に不活性ガスであるＮ２ガスを注入する場合や発泡断熱材４０を注入する場合に、注入用孔２５を介して断熱パネルＰの空間３０内に、Ｎ２ガス注入ノズル６０又は発泡断熱材注入ノズル７０が挿入されると、膜材５０は、図３（ａ）に二点鎖線で示すように、空間３０の内方側に変位してＮ２ガス又は発泡断熱材４０の注入を可能にする。そして、発泡断熱材４０が注入されて発泡・充填された際に、発泡断熱材４０は下部から充填されるので、膜材５０は発泡断熱材４０によって下方側から押されて注入用孔２５を閉塞する（図２参照）。これにより、発泡断熱材４０の外部への露呈が防止される。
【００２８】
また、コーナー枠材２１の側面には、直状枠材２０に設けられた凹条部又は凸条部に連なる凹条部又は凸条部（図面では凹条部２３Ａを示す）が設けられている。この凹条部２３Ａも直状枠材２０の凹条部２３と同様に開口側が拡開するテーパ状に形成されている。また、各コーナー枠材２１には、ガス抜き孔２６が設けられている。このようにコーナー枠材２１にガス抜き孔２６を設けることによって、断熱パネルＰの空間内に注入されるＮ２ガスを空間３０内に満遍なく均一に供給して空間３０内をＮ２ガスで置換した後、置換に供されたＮ２ガスをガス抜き孔２６から外部に排出することができると共に、発泡断熱材４０を空間３０内に注入した際に発生するガスを外部へ排出することができる。したがって、パネル内圧による表面板１０の膨れや外れを防止することができる。
【００２９】
上記Ｎ２ガス注入ノズル６０は、図４及び図５に示すように、Ｎ２ガス供給源（図示せず）に接続し、先端に向かって狭小テーパ状の截頭円錐状のノズルヘッド６１を具備しており、このノズルヘッド６１の先端に主注入口６２が形成され、この主注入口６２に連通する連通路６４は、ノズルヘッド６１と相似形をなすように先端に向かって狭小テーパ状に形成され、該連通路６４に対して対称位置に同一の大きさすなわち直径の円形状の２個の副注入口６３が連通されている。
【００３０】
上記のように、ノズル６０の先端部を截頭円錐状に形成することにより、注入用孔２５内にノズル６０を容易に挿入することができる。また、ノズルヘッド６１の先端に主注入口６２を形成し、連通路６４に対して対称位置に同一形状の副注入口６３を形成することにより、Ｎ２ガスは、図４に示すように、ノズル６０の中心軸に沿って空間３０内に直状に注入すると同時に、直状注入方向に対して角度を有する２箇所から側方に注入されるので、Ｎ２ガスの流れを複数かつ均一にすることができる。また、ノズルヘッド６１に形成される連通路６４は、先端に向かって狭小テーパ状に形成されているので、注入のために供給されるＮ２ガスは漸次加圧されて主注入口６２及び副注入口６３から空間３０内に注入されるので、流量を均一にすることができる。これにより、Ｎ２ガスによる空間３０内の置換を効率よく行うことができる。また、Ｎ２ガスの使用量を抑制することができると共に、置換時間の短縮が図れるので、コストの低廉化が図れると共に、生産性の向上が図れる。
【００３１】
なお、Ｎ２ガスの置換処理を行う場合には、多段に平積みされた仮組パネルＰ０を、処理温度雰囲気例えば約３５℃に設定された処理室１００内に搬入した状態で行う方が好ましい。このように、Ｎ２ガス置換工程を、所定温度に設定されたパネルの処理温度（例えば、３５℃）の雰囲気内に表面板と枠材を組み立てて設置保持した状態で行うことにより、置換後のＮ２ガスの膨張によるパネル外部から再び空気がパネル空間内に侵入するのを防ぐことができる。また、Ｎ２ガス置換工程後の発泡断熱材注入工程において、パネル空間内で酸素と発泡剤が混合するのを防止することができ、発泡断熱材の注入・充填を安全に行うことができる。したがって、安全性と生産性の向上を図ることができる。
【００３２】
上記実施形態では、Ｎ２ガス注入ノズル６０は、２個の副注入口６３を具備する場合について説明したが、副注入口６３は、主注入口６２から注入される直状注入方向に対して角度を有する少なくとも２箇所から側方に注入するものであれば、必ずしも２個である必要はない。例えば、図７及び図８に示すように、Ｎ２ガス注入ノズル６０のノズルヘッド６１の中心軸に対して左右対称な２組（４個）の副注入口６５を設けて、図８に示すように、４箇所からＮ２ガスを注入するようにしてもよい。また、図９に示すように、ノズルヘッド６１の中心軸に対して左右対称な２組（４個）の副注入口６５に加えて副注入口６５と直交する上下方向に２個の副注入口６６を設けて、計６箇所からＮ２ガスを注入するようにしてもよい。このように、副注入口６５，６６の数を増やすことにより、多量のＮ２ガスを短時間内に注入することができ、Ｎ２ガス置換処理を短時間に行うことができる。
【００３３】
上記のようにしてＮ２ガス置換工程を行った後、図６に示すように、注入用孔２５を介して断熱パネルＰの空間３０内に、発泡断熱材注入ノズル７０を挿入して、空間３０内に発泡断熱材４０を注入・充填する。
【００３４】
なお、上記発泡断熱材４０は、水を有するポリオール系原液と、ポリイソシアネート系原液と、発泡剤として炭素数５の飽和系炭化水素例えばシクロペンタンとの混合組成物にて形成されている。このように形成される発泡断熱材４０は、図示しないミキシング装置に接続する発泡断熱材注入ノズル７０から断熱パネルＰの空間３０内に注入・充填される。
【００３５】
なお、ポリオール系原液は、ポリオール（多価アルコール），整泡剤，難燃剤及び他助剤等を混合・調製したものである。このうち、ポリオールはポリウレタンフォームの性質に最も大きな影響を及ぼす原料である。また、整泡剤は気泡を均一あるいは安定させるもので例えばシリコン系界面活性剤にて形成される。触媒はポリウレタンフォームの生成時の諸反応を促進し、樹脂化と発泡のバランスをとりながら目的にあったフォームを生成するために使用される助剤で、例えば第３級アミン，有機錫化合物あるいは有機酸の金属塩等が使用される。また、難燃剤はフォームを難燃化するためのもので、添加型の難燃剤としてリン酸エステル，ハロゲン化リン酸エステルが使用され、更に難燃性を高めるために水酸化アルミニウム等の無機化合物が併用される。その他必要に応じて使用される他助剤には、例えば架橋剤，着色剤，充填剤，安定剤あるいは可塑剤等が使用される。
【００３６】
また、発泡剤は成形時のガス源となるもので、代替フロンであるシクロペンタンと水を有する。このシクロペンタンと、水とイソシアネートが反応して生成される炭酸ガス（ＣＯ2）との比を適宜選択することにより、発泡圧を調整することができる。
【００３７】
一方、ポリイソシアネート系原液は、ポリイソシアネートと界面活性剤等他助剤とを混合・調製したものである。
【００３８】
次に、上記断熱パネルを製造する手順の一例を、図１０、図１１及び図１２に示すフローチャートを参照して説明する。
【００３９】
まず、図１０及び図１１に示すように、一対の表面板１０の辺部間に直状枠材２０及びコーナー枠材２１を装着した仮組パネルＰ０を、下ベース盤８０と上ベース盤８１との間に、塩化ビニルを被覆したアルミニウム製の定盤８２（以下に平盤８２という）及びアルミニウム製のスペーサ８３を介して多段に平積みし、下ベース盤８０と上ベース盤８１に突設されたフランジ８４，８５を連結ボルト８６とナット８７によって固定する（ステップ１２−１）。なお、平盤８２の表面に塩化ビニルを被覆した理由は、仮組パネルＰ０との接触によって傷が付くのを防止するためである。このようにして仮組パネルＰ０を平積みした後、多段に平積みされた仮組パネルＰ０を処理室１００内に搬入する。この処理室１００内の処理温度雰囲気は約３５℃に設定される。この際、製造する断熱パネルＰの厚さ寸法に合わせてスペーサ８３の高さ寸法を適宜変更する。この場合、平盤８２を仮組パネルＰ０の表面板１０よりも大きくすると共に、各平盤８２間に配置されるスペーサ８３の高さを仮組パネルＰ０の厚さより若干高くして、その差分の隙間Ｓが設けられている。この場合、隙間Ｓは、０．１ｍｍ以上１．０ｍｍ以下に設定する方がよい。なお、ここでは、下ベース盤８０と上ベース盤８１とを連結ボルト８６とナット８７によって固定しているが、上ベース盤８１によって最上段の仮組パネルＰ０を押さえない状態で複数の仮組パネルＰ０を平積みするようにしてもよい。
【００４０】
次に、平積みされた仮組パネルＰ０を図示しない移動機構によって水平移動して注入用孔２５とＮ２ガス注入ノズル６０とを位置調整する（ステップ１２−２）。この際、Ｎ２ガス注入ノズル６０を垂直方向のみに移動してＮ２ガス注入ノズル６０と注入用孔２５とを位置合せすることができる。そして、図４又は図８に示すように、注入用孔２５にＮ２ガス注入ノズル６０を挿入し、仮組パネルＰ０の空間３０内に処理温度未満のＮ２ガスを注入する。この際、Ｎ２ガスはノズル６０の主注入口６２から中心軸に沿って直状に注入されると同時に、直状注入方向に対して角度を有する少なくとも２個の副注入口６３，６５から側方又は更に副注入口６６から上下方向に注入されて、空間３０内をＮ２ガスで置換する（ステップ１２−３）。なお、このときのＮ２ガスの供給量は１０００Ｌ／ｍｉｎ以上である。このとき、Ｎ２ガスは処理温度雰囲気未満すなわち３５℃未満の温度であるので、パネル空間３０内に注入された後、膨張して外部から空間３０内に空気が侵入するのを積極的に防止することができる。そして、置換に供されたＮ２ガスはパネルコーナー部すなわちコーナー枠材２１に設けられたガス抜き孔２６を介して外部に排出される。これにより、パネル内圧による表面板１０の膨れや外れが防止される。なお、この際、最上段の仮組パネルＰ０の上部を押さえない場合では、最上段の仮組パネルＰ０の空間３０内にはＮ２ガスを注入せず、後述する発泡断熱材４０の注入直前に手動によってＮ２ガスを注入する。なお、この仮組パネルＰ０の押さえは、発泡断熱材４０の注入工程を行う場所に仮組パネルＰ０を移動させる際にエアバックによって行う。
【００４１】
次に、平積みされ、Ｎ２ガスで置換された仮組パネルＰ０を移動機構（図示せず）によって水平移動して注入用孔２５と発泡断熱材供給ノズル７０とを位置調整する（ステップ１２−４）。この際、発泡断熱材供給ノズル７０を垂直方向のみに移動して発泡断熱材供給ノズル７０と注入用孔２５とを位置合せすることができる。そして、図６に示すように、注入用孔２５に発泡断熱材供給ノズル７０を挿入し、仮組パネルＰ０の空間３０内に、発泡断熱材４０｛具体的には、上記水を有するポリオール系原液、ポリイソシアネート系原液及び発泡剤としてのシクロペンタンの混合組成物｝を注入し、発泡・充填する（ステップ１２−５）。この発泡断熱材４０の注入工程において発生するガスは、ガス抜き孔２６から外部に排出される。これにより、パネル内圧による表面板１０の膨れや外れが防止される。
【００４２】
上記発泡断熱材４０の注入工程の際、上記ポリオール系原液と、ポリイソシアネート系原液と、シクロペンタンは、それぞれ計量されて所定の割合例えばシクロペンタン：ポリオール系原液：ポリイソシアネート系原液は、例えば５．５：７５：１００の割合で配合された後、所定の圧力に調整されてミキシング装置へ供給され、ミキシング装置で所定の割合に攪拌・混合された後、その混合組成物は発泡断熱材供給ノズル７０から適宜間隔をおいて配置された一対の表面板１０間に注入されて発泡し、その後硬化して断熱材（フォーム）が成形される。なお、混合組成物の注入時の処理温度雰囲気（処理室１００内の室温）を発泡温度（例えば３５℃）に設定しておく方が好ましい。
【００４３】
なお、異なる寸法の断熱パネルＰすなわち仮組パネルＰ０の高さ寸法に応じて最適な量の発泡断熱材４０を注入する必要があるので、予め設定された断熱パネルＰの寸法すなわち仮組パネルＰ０の高さ寸法とパネル温度の情報を記憶した制御手段例えば中央演算処理装置（ＣＰＵ）からの制御信号に基づいて発泡断熱材供給ノズル７０から所定量の発泡断熱材４０を空間３０内に注入する。あるいは、仮組パネルＰ０を仮組するときに、例えば仮組パネルＰ０を平積みする各平盤８２あるいは直状枠材２０に断熱パネルＰの寸法（仮組パネルＰ０の高さ寸法）に応じた情報を記憶した記号例えばバーコードを設け、発泡断熱材４０を注入する前に、温度センサによってパネル温度を検出すると共に、上記バーコードの情報を読み取り、その検出信号をＣＰＵに伝達に伝達し、ＣＰＵにおいて、この検出信号と予め記憶された情報とを比較して、その制御信号を発泡機（図示せず）に送り、発泡断熱材供給ノズル７０から所定量の発泡断熱材４０を空間３０内に注入する。
【００４４】
上述のようにして仮組パネルＰ０の空間３０内に発泡断熱材４０を注入し、発泡・充填した後、約２〜５分間待機させる（ステップ１２−６）。この待機中において、パネル内への発泡断熱材４０の発泡・充填後に生じるシクロペンタンのパネル外への漏出が、注入工程が行われる場所のみに存在することになる。そのため、注入工程が行われる場所に、図示しない排気設備，静電気除去設備及び可燃性気体検出設備等の各種安全設備を備えることで、パネル製造設備全体の高い安全性を保つことができる。そして、発泡・充填した後、約２〜５分間待機させて安全を確認した後、作製された断熱パネルＰを所定の場所に搬出する。
【図面の簡単な説明】
【００４５】
【図１】この発明における断熱パネルの一例を示す斜視図である。
【図２】図１のＩ−Ｉ線に沿う拡大断面図である。
【図３】仮組パネルの空間内にノズルを挿入する状態を示す拡大断面図（ａ）及び（ａ）のII矢視図（ｂ）である。
【図４】Ｎ２ガスの注入状態を示す概略断面図である。
【図５】この発明におけるＮ２ガス注入ノズルの第１実施形態を示す要部斜視図（ａ）及び（ａ）のIII−III線に沿う断面図（ｂ）である。
【図６】発泡断熱材の注入状態を示す概略平面断面図である。
【図７】この発明におけるＮ２ガス注入ノズルの第２実施形態を示す要部斜視図（ａ）及び（ａ）のIV−IV線に沿う断面図（ｂ）である。
【図８】第２実施形態のＮ２ガス注入ノズルを用いたＮ２ガスの注入状態を示す概略断面図である。
【図９】この発明におけるＮ２ガス注入ノズルの第３実施形態を示す要部斜視図（ａ）及び（ａ）のＶ−Ｖ線に沿う断面図（ｂ）である。
【図１０】この発明に係る断熱パネルの製造方法における断熱パネルの平積み状態の一例を示す概略断面図である。
【図１１】図１０の要部拡大断面図である。
【図１２】断熱パネルの製造工程を示すフローチャートである。
【符号の説明】
【００４６】
Ｐ  断熱パネル
Ｐ０  仮組パネル
１０  表面板
２０  直状枠材
２１  コーナー枠材
２５  注入用孔
３０  空間
４０  発泡断熱材
６０  Ｎ２ガス注入ノズル（不活性ガス注入ノズル）
６１  ノズルヘッド
６２  主注入口
６３，６５，６６  副注入口
６４  連通路
７０  発泡断熱材注入ノズル
１００  処理室
【図１】
2006095801.tif 000003
【図２】
2006095801.tif 000004
【図３】
2006095801.tif 000005
【図４】
2006095801.tif 000006
【図５】
2006095801.tif 000007
【図６】
2006095801.tif 000008
【図７】
2006095801.tif 000009
【図８】
2006095801.tif 000010
【図９】
2006095801.tif 000011
【図１０】
2006095801.tif 000012
【図１１】
2006095801.tif 000013
【図１２】
2006095801.tif 000014